(57)【特許請求の範囲】
【請求項１】
パッド及びハウジング内のファンを駆動するモータが内蔵されており、前記ハウジングの上部が第１把持部とされたサンダにおいて、
前記ハウジングにおける当該第１把持部の下方に、第２把持部が設けられており、
前記ハウジングにおける当該第２把持部の下方に、前記ファンの駆動時に吸気する吸気口が設けられており、
前記吸気口の下方に、前記ファンの駆動時に排気する排気口が設けられている
ことを特徴とするサンダ。
【請求項２】
前記吸気口が、左右両側に設けられている
ことを特徴とする請求項１に記載のサンダ。
【請求項３】
前記モータのハウジングであるモータハウジングに、その内部への吸気のためのモータ吸気口が設けられており、
当該モータ吸気口は、前記ハウジングの前記吸気口より上方に配置されている
ことを特徴とする請求項１又は請求項２に記載のサンダ。
【請求項４】
前記モータのハウジングであるモータハウジングに、その内部への吸気のためのモータ吸気口が設けられており、
前記ハウジングにおける、前記モータ吸気口と同様の高さとなる位置に、第２吸気口が設けられている
ことを特徴とする請求項１ないし請求項３の何れかに記載のサンダ。
【請求項５】
パッド及びハウジング内のファンを駆動するモータが内蔵されたサンダにおいて、
前記モータに、前記ファンと逆方向のエアの流れを起こす、前記ファンより容量の低いサブファンが設けられている
ことを特徴とするサンダ。
【請求項６】
前記モータに、前記ファンと逆方向のエアの流れを起こす、前記ファンより容量の低いサブファンが設けられている
ことを特徴とする請求項１ないし請求項４の何れかに記載のサンダ。
【発明の詳細な説明】
【技術分野】
【０００１】
本発明は、上部に把持部を有するサンダに関する。
【背景技術】
【０００２】
下記特許文献１に示されるように、本体ハウジングの上部に丸みを持たせ手を当て易くして、上部を把持部としたパーム型のサンダが知られている。
このサンダにおいて、把持部の側面には、複数の通気孔（風窓）が設けられている。複数の通気孔は、指の数だけ設けられており、把持部を握った際の指に沿うように長く配置されている。
このサンダでは、多くの長い通気孔が設けられるため、把持部を手で覆っても全ての通気孔が全体として塞がれることはなく、開いた通気孔からエアを導入可能である。
そして、導入されたエアは、下側の工具を回転させるために回転軸を下にして内蔵されたモータ等を冷却する。モータは、回転軸先端と逆側である上側に吸気孔を有しており、エアは、ハウジング上部の通気孔から、モータ上部の吸気孔を経て、サンダの下側より排出される。
【先行技術文献】
【特許文献】
【０００３】
【特許文献１】特開２００５−２７９８９１号公報
【発明の概要】
【発明が解決しようとする課題】
【０００４】
特許文献１のサンダでは、把持部をどのように握っても通気可能とするため、大きい（長い）通気孔が多く必要であり、粉塵が入り易くなる。
又、本体ハウジング上部の通気孔から導入されたエアは、モータ上部の吸気孔にすぐ吸い込まれるため、モータの内部ばかり通過し、モータの外部を殆ど通過しないこととなり、冷却効率に限りがある状態となっている。
【０００５】
そこで、本発明は、風窓（吸気口）が小さく又少なくて済み、モータ等の冷却効率を向上することができるサンダを提供することを主な目的とするものである。
又、本発明は、ファンによるエアの流れを適切なものに調整することが可能となるサンダを提供することを主な目的とするものである。
【課題を解決するための手段】
【０００６】
上記目的を達成するために、請求項１に記載の発明は、パッド及びハウジング内のファンを駆動するモータが内蔵されており、前記ハウジングの上部が第１把持部とされたサンダにおいて、前記ハウジングにおける当該第１把持部の下方に、第２把持部が設けられており、前記ハウジングにおける当該第２把持部の下方に、前記ファンの駆動時に吸気する吸気口が設けられており、前記吸気口の下方に、前記ファンの駆動時に排気する排気口が設けられていることを特徴とするものである。
請求項２に記載の発明は、上記請求項１に記載の発明において、前記吸気口が、左右両側に設けられていることを特徴とするものである。
請求項３に記載の発明は、上記請求項１又は請求項２に記載の発明において、前記モータのハウジングであるモータハウジングに、その内部への吸気のためのモータ吸気口が設けられており、当該モータ吸気口は、前記ハウジングの前記吸気口より上方に配置されていることを特徴とするものである。
請求項４に記載の発明は、上記請求項１ないし請求項３の何れかに記載の発明において、前記モータのハウジングであるモータハウジングに、その内部への吸気のためのモータ吸気口が設けられており、前記ハウジングにおける、前記モータ吸気口と同様の高さとなる位置に、第２吸気口が設けられていることを特徴とするものである。
請求項５に記載の発明は、パッド及びハウジング内のファンを駆動するモータが内蔵されたサンダにおいて、前記モータに、前記ファンと逆方向のエアの流れを起こす、前記ファンより容量の低いサブファンが設けられていることを特徴とするものである。
請求項６に記載の発明は、上記請求項１ないし請求項４の何れかに記載の発明において、前記モータに、前記ファンと逆方向のエアの流れを起こす、前記ファンより容量の低いサブファンが設けられていることを特徴とするものである。
【発明の効果】
【０００７】
本発明の内、請求項１に記載の発明によれば、第２把持部の下方に、ファンの駆動により吸気する吸気口を設けたので、第２把持部を把持しても隠れない程度のハウジング下方に吸気口を配置することができ、当該吸気口から入ったエアをモータ外部に伝わせることができて、吸気口が小さくあるいは少なかったとしても、充分にモータ等を冷却することができる、という効果を奏する。
又、請求項２に記載の発明によれば、上記請求項１に記載の発明において、吸気口を左右に設けるため、上記請求項１に記載の発明の効果に加え、第２把持部を左右両側から挟んで持った場合に、４本の指がかかった方等の一方の吸気口が操作時等に塞がれたとしても、親指がかかった方等の他方の吸気口を開けておくことができ、冷却効率をより良好にすることができる、という効果を奏する。
更に、請求項３に記載の発明によれば、上記請求項１又は請求項２に記載の発明において、モータ吸気口が上記吸気口より上方にあるため、上記請求項１又は請求項２に記載の発明の効果に加え、上記吸気口からモータ吸気口へのエアの流れを作ることができ、冷却効率をより一層向上することができる、という効果を奏する。
加えて、請求項４に記載の発明によれば、上記請求項１ないし請求項３の何れかに記載の発明において、モータ吸気口と第２吸気口を同様の高さとしているため、上記請求項１又は請求項２に記載の発明の効果に加え、モータ吸気口のすぐ外方に第２吸気口が位置し、モータ吸気口にすぐさま外気を吸わせることができ、冷却効率を更に向上することができる、という効果を奏する。
又、請求項５に記載の発明によれば、ファンに加えて、これより風量が低く風発生方向の異なるサブファンをモータに設けたため、ファンによるエアの流れを適切なものに調整することが可能となる、という効果を奏する。
更に、請求項６に記載の発明によれば、上記請求項１ないし請求項４に記載の発明において、ファンに加えて、これより風量が低く風発生方向の異なるサブファンをモータに設けたため、上記請求項１ないし請求項４の何れかに記載の発明の効果に加え、ファンによるエアの流れを適切なものに調整することが可能となるし、ファンの風とサブファンの風がぶつかることで生じる（局所的な）乱流の作用を利用し、モータ吸気口付近に乱流を発生させて、サンダの研削により生じた塵がモータ内に入る事態を防止することが可能となる、という効果を奏する。
【図面の簡単な説明】
【０００８】
【図１】本発明に係るサンダの左側面図である。
【図２】図１のサンダの左右方向中央の断面図である。
【図３】図１のＡ−Ａ線断面図である。
【図４】図１のサンダにおけるプーリの（ａ）斜視図，（ｂ）平面図，（ｃ）底面図である。
【図５】図１のサンダを両手で把持した場合の模式的な左側面図である。
【図６】図１のサンダにおける内部のエアの流れを模式的に示す図３右半分相当図である。
【発明を実施するための形態】
【０００９】
以下、本発明の実施の形態を図面に基づいて説明する。
図１は当該形態に係るサンダ１の側面図（図の右がサンダ１の前方）であり、図２はサンダ１を左右方向中央で切った場合の側方断面図であり、図３は図１のＡ−Ａ線断面図である。
サンダ１は、ハウジング２の上部２ａ（第１の把持部）をユーザの片方の手で握ることで操作可能なパーム型であって、上部２ａの脇に、図示しないボタンが（複数）配されるボタン部３を備えている。
【００１０】
更に、サンダ１は、ハウジング２内の中央部において、鉛直な出力軸４を、その中心軸周りで回転自在に備えている。出力軸４の上部と中央部の周囲には、それぞれボールベアリング６，７が配置されており、これらはハウジング２内部においてハウジング２に対して固定されている。
【００１１】
又、出力軸４の中央部（ボールベアリング７の下側）の周囲において、減速機構を構成する減速部材の一つとしての出力軸側プーリ８が固定されており、更にその下側の周囲には、ファン９が固定されている。
ファン９は、全体が水平な円盤状の部材であって、一方の側には中央から周縁へ湾曲放射状に延びる上方に突出した羽根部９ｃ，９ｃ・・が複数形成され、周縁の一部は幾つかの羽根部９ｃ，９ｃ・・の外側先端部が結合した肉厚部９ｅとなっている。
又、他方の側にも同様に中央から周縁へ湾曲放射状に延びる下方に突出した羽根部９ｄ，９ｄ・・が複数形成され、周縁の一部で肉厚部９ｅと点対称の位置に、肉厚部９ｆが形成されている。
そして、羽根部９ｃ，９ｄ・・により、ファン９が回転すると、下方向のエアの流れ（風）を起こす。
なお、羽根部９ｄ，９ｄ・・は、羽根部９ｃ，９ｃ・・よりも相対的に内側に短く、ボールベアリング１６等を含むパッド軸受具１４が入る空間を作っており、上下方向のコンパクト化に寄与している。
【００１２】
ハウジング２の下部におけるファン９収容部分は、その上側に対して両側方にそれぞれ張り出す突出部２ｃ，２ｃとして形成されている。各突出部２ｃの側面には、ファン９の排気のための窓２ｄ，２ｄが開いている。
なお、ハウジング２の下部であって、ファン９の脇（後述するバッテリ装着部４２の下側）には、塵入りのエアを排出する集塵管９ａとの接続部２ｂが形成されている。集塵管９ａは、接続部２ｂにおいて、接続ネジ９ｂにより固定されている。又、ハウジング２の上部２ａ両脇には、それぞれ複数の通気窓（風窓）２ｅ，２ｅ・・が開けられている。各通気窓２ｅは縦長で、その高さは指１本の幅程度と小さくなっている。
【００１３】
出力軸４の先端には、パッド１０が取り付けられ、パッド１０の下面には、面ファスナー等を介して、工具の一例である研磨用のサンディングペーパー（図示せず）が取り付けられる。
パッド１０は、パッド本体１２と、その上側に配置されるパッド軸受具１４を有する。パッド軸受具１４は、ボールベアリング１６と、その内筒に固定される内側ベアリングリテーナ１８（フラットワッシャ）と、ボールベアリング１６の外筒に固定される外側ベアリングリテーナ２０を含む。
内側ベアリングリテーナ１８におけるボールベアリング１６の回転軸線から偏心した位置には、出力軸４の先端部に入る内側ネジ２２を通す孔が開けられている。なお、内側ベアリングリテーナ１８はボールベアリング１６の内筒下側に配置され、ボールベアリング１６を下方から支持する。ボールベアリング１６の内筒内部にはファン９の下側突出部が入れられ、その下側突出部にも出力軸４が通されている。
一方、外側ベアリングリテーナ２０とパッド本体１２をつなぐ外側ネジ２４を通すための孔が、これら双方に開けられている。
【００１４】
ファン９の肉厚部９ｅ，９ｆは、パッド１０の偏心状態を考慮して上述の位置にウェイト（錘）として配置され、パッド１０のボールベアリング１６等による回転及び偏心回転（オービタル回転）を調節するカウンターウェイトの役割を担っている。
【００１５】
又、ハウジング２内における出力軸４の脇には、モータ３０が固定されている。
モータ３０の回転軸（ロータ）３２には、減速部材の一つとしてのモータ側プーリ３４が固定されており、モータ側プーリ３４と出力軸側プーリ８には、減速部材の一つとしての図示しないベルト（タイミングベルト）が掛けられている。モータ側プーリ３４は、出力軸側プーリ８より径の小さい状態とされており、回転軸３２の回転は出力軸４において減速される。
回転軸３２は、先端部を除いてモータハウジング３５に納められており、モータハウジング３５内における回転軸３２の周囲には、回転軸３２と隙間を置いて筒状のステータ（固定子）３６が配置されている。
又、回転軸３２の基端側には、共に回転するサブファン３７が取付けられており、モータハウジング３５における、サブファン３７収容位置の外側部分には、モータ吸気口３８，３８・・が複数開けられている。サブファン３７は、遠心ファンであり、回転により、上方向の風を起こす。サブファン３７は、ファン９より外形が小さい（小容量である）ため、ファン９の起こす下方向の風より弱い反対方向の風を発生させる。
加えて、モータハウジング３５下面であって、回転軸３２基端部の周囲には、ブラケット３９が配置されている。
【００１６】
更に、ハウジング２外側であって、モータ３０に対して上部２ａないし出力軸４を挟んで反対側には、バッテリ４０が装着されている。即ち、モータ３０は、把持部あるいは出力軸４を挟んでバッテリ４０と反対側に配置されている。
バッテリ４０は、面取りされた直方体状を呈しており、一つの面に図示しない単数又は複数の端子が配置されている。
なお、バッテリ４０は、充電器により充電可能な充電池であり、サンダ１は充電式サンダとなっている。又、モータ３０ないしバッテリ４０に対し、そのスイッチとしての役目を果たすように、ボタン部３のボタンが電気的に接続されている。
【００１７】
ハウジング２におけるモータ３０と逆側の外面は、バッテリ４０の端子面と対応する形状であるバッテリ装着部４２として形成されている。
バッテリ装着部４２は、バッテリ４０を出力軸４の軸線（サンダ１の上下）に対して上方になる程遠ざかる状態で傾けて案内するよう、下方となるに従い内側に入るように傾けられている。即ち、バッテリ４０の着脱は、バッテリ装着部４２の傾斜角度に合わせてスライドさせることで可能となる。バッテリ装着部４２は、図示しないバッテリ４０に対する係止部を備えており、当該係止部がバッテリ４０の装着時にバッテリ４０に係止し、バッテリ４０の抜脱時に当該係止部の係止が解除されることで、バッテリ４０を着脱自在に受け入れる。又、バッテリ装着部４２には、バッテリ４０の装着時にその端子と重なる図示しない端子が設けられている。当該端子は、モータ３０と電気的に接続されており、装着されたバッテリ４０の電力をモータ３０に供給することが可能となっている。
【００１８】
バッテリ装着部４２に装着されたバッテリ４０は、下方になる程サンダ１（ハウジング２）の中央に近づく状態（下方になる程内側になる状態）となる。又、装着されたバッテリ４０の下部が、パッド１０（の接触部）の端部上方より内側に入るよう、パッド１０（の接触部）、バッテリ４０ないしバッテリ装着部４２が形成されている。
又、バッテリ４０が装着されると、その上部がハウジング２の上部２ａと連続的となって揃うよう、バッテリ４０ないしバッテリ装着部４２が形成されている。
【００１９】
更に、ハウジング２の上部２ａは、その下側に対して両側方に膨出するように形成されている。なお、ボタン部３は、その膨出部の前側に配置されている。
一方、ハウジング２下部において突出部２ｃが側方に出ており、サンダ１の両側部にあっては、上部２ａと突出部２ｃの間において括れ部４４が設けられることとなる。
【００２０】
各括れ部４４は左右互いに同様に成るため、主に一方の括れ部４４につき説明する。
括れ部４４は、後方へ行く程内側へ深くなるように形成されている。即ち、括れ部４４は、サンダ１（ハウジング２）の左右の中心に位置する前後方向に沿う面に対し、後方となる程近づくように形成されている。なお、括れ部４４は、全体的には、滑らかなカーブで構成される曲面により形成される。又、括れ部４４の後側は、バッテリ装着部４２が配置されることで側方に突出している。
従って、ハウジング２における括れ部４４，４４は、水平断面でみると、後方となる程窪んだ杓子状となる。即ち、括れ部４４，４４間の左右方向の距離は、前端から後方へ行くと一旦増加してモータ４の周辺位置で最大となり、更に後方へ行く程小さくなる。このような形状は、上方から以外の掴む方向を前方からに設定するものである。なお、掴むであろう方向は、サンダ１の側周部（前後左右）へ向かう方向（側周部にバッテリ装着部４２を設けた場合のバッテリ装着部４２へ向かう方向を除く）から選択可能であり、好ましくは水平（パッド１０下面と平行）である。
又、括れ部４４の後端縁４４ａから前端までの外寸は、一般ユーザの手の親指以外の指（特に中指）の先から掌中央までの寸法と合うようになっている。よって、括れ部４４の後端縁４４ａは、バッテリ４０を装着したサンダ１全体の重心の上方より奥（バッテリ装着部４２に近い側）に位置している。なお、当該重心は、比較的に重量の嵩むモータ４とバッテリ４０につき出力軸４を挟んで互いに逆側に対向させたため、出力軸４付近に位置する。
【００２１】
更に、括れ部４４の上部は、その下側に対して更に窪んだ窪み部４５として形成されている。窪み部４５は、前後方向（水平方向）に長く形成されていて、ユーザの指（特に人差指）の厚みの半分程の深さを有しており、前後方向の長さがユーザの指（特に人差指）の長さ程度となっている。
加えて、窪み部４５には、互いに同様の形状とされた、側方に突出する突起４６，４６・・が設けられている。各突起４６は、前方へ尖るく字状（ウェーブ状）に形成されている。突起４６，４６・・は、前後方向において等間隔に並べられており、ユーザの指（特に人差指）の中央あるいは全体をカバーするようになっている。
又、各括れ部４４の後端縁４４ａには、周囲に対し更に深くなって凹部となっている段部４７が形成されている。段部４７は、上下方向に沿うように長くなっており、前から括れ部４４に手を添えると、段部４７には一般ユーザの中指と薬指の各指先が位置することとなる。
又更に、各括れ部４４における、窪み部４５上端から段部４７下端までの高さは、一般ユーザの人差指から小指までの幅と同程度となっており、窪み部４５から段部４７前方にわたる、第２の把持部とされている。
【００２２】
加えて、出力軸側プーリ８は、図４に示すように、側周に前記ベルトが掛けられる複数の歯５０，５０・・を有する全体輪状の歯部５１と、歯部５１の下外側に位置するフランジ部５２と、出力軸４を通す輪状の中央孔部５３と、歯部５１内側ないし中央孔部５３外側を結ぶ複数の柱状部５４，５４・・を有している。歯部５１と柱状部５４，５４（と中央孔部５３）で囲まれる部分は通気孔５５，５５・・とされ、出力軸側プーリ８は複数の通気孔５５，５５・・が開けられたものとなっている。
通気孔５５，５５・・が開けられることにより、出力軸側プーリ８は、上下にエアを通気させることが可能なものとなっている。
又、ブラケット３９にも、通気孔５５，５５・・と同様な通気孔５８，５８・・が設けられており、ブラケット３９は、上下にエアを通気させることが可能なものとなっている。
【００２３】
そして、上述の第２把持部の下方（各括れ部４４の下部）には、それぞれ吸気口（風窓）７０が開けられている。各吸気口７０は横長で、その幅は指１本の幅程度と小さくなっており、前後方向においてモータ３０と同様の位置に配置されている。
又、各括れ部４４の窪み部４５（突起４６，４６・・の前方）には、複数の吸気口（風窓）７２，７２・・が設けられている（第２の吸気口）。各吸気口７２は縦長で、段部４７下端下側の前方に配置されており、その高さは指１本の幅程度と小さくなっている。
各吸気口７２は、各モータ吸気口３８と同様の高さで、前後方向においても同様の位置に配置されている。他方、両側の吸気口７０は、各モータ吸気口３８より下方となっている。
【００２４】
このようなサンダ１は、例えば次のように動作する。
即ち、動作停止状態において、バッテリ４０をバッテリ装着部４２に装着してボタン部３を操作すると、バッテリ４０によりモータ３０への給電がなされ、回転軸３２が所定の速度で回転する。
【００２５】
モータ３０の回転軸３２は、これに固定されたモータ側プーリ３４、上記ベルトないし出力軸側プーリ８を介して、出力軸４を回転駆動する。
出力軸４の回転により、パッド１０が次のように回転し偏心回転する。即ち、ボールベアリング６，７及び出力軸４を中心に、ボールベアリング１６及び外側ベアリングリテーナ２０を介してパッド本体１２が回転する（公転）。サンダ１の作業時には、ボールベアリング１６の内筒、ボール、外筒の間に相互に力が加わることによって転動抵抗が発生し、パッド１０がボールベアリング１６を中心に、公転と同一方向に回転する（自転）。なお、無負荷回転の時には、ボールベアリング１６内の摩擦抵抗が不安定な状態なので、不規則な自転をしたり、自転しなかったりする。
かように回転されるパッド１０を、ハウジング２の上部２ａや括れ部４４，４４を把持することでワークに対し押し付けつつ移動させることにより、サンディングペーパー等を介してワークの表面に研磨等を施すことができる。
ハウジング２の上部２ａは、バッテリ４０の傾斜装着により、十分に確保されている。又、バッテリ４０の傾斜装着により、サンダ１の重心は傾斜させない場合に比べ中央寄りとなる。かような把持部の確保及び重心の中央寄りの配置は、バッテリ４０の装着角度につき鉛直線から０°を超えたものとすることで実現することができる。又、バッテリ４０を傾斜させすぎると、サンダ１の装置寸法が大きくなりすぎたり、内部構造のためのスペースをとり難くなるため、装着角度を鉛直線から３０°以内とすることが好ましい。なお、バッテリ４０の装着角度（長手方向の延在方向）につき鉛直線から０°とする場合も、把持部の確保及び重心の中央寄りの作用効果を呈するのであり、よってバッテリ４０の長手方向は鉛直方向に対して０°以上に延在させれば良い。
そして、研磨の際、図５に示すように、ハウジング２の上部と括れ部４４，４４をそれぞれの手で把持したとしても、少なくとも括れ部４４の下部（第２把持部の下方）に配置された（何れか一方の）吸気口７０は、手により隠されず露出することとなり、当該吸気口７０による吸気が確保される。
【００２６】
又、モータ３０の回転軸３２の回転によりサブファン３７が回転し、出力軸４の回転によりファン９が回転する。
ファン９の各羽根部９ｃにより、ハウジング２内のエアがファン９に集められ、ファン９外方の窓２ｄ，２ｄ・・へ排出される。このようなファン９の回転による吸込みにより、エアが、ハウジング２上部の通気窓２ｅ，２ｅ・・や、吸気口７０，７２・・等からハウジング２内に導入される。
他方、サブファン３７により、ハウジング２内のエアの一部がモータハウジング３５内（回転軸３２とステータ３６の間等）に導入される。
従って、ファン９の回転が継続すると、エアが、通気窓２ｅ，２ｅ・・や、吸気口７０，７２・・から、モータ３０の周辺ないし内部や出力軸４の周辺を通り、更にブラケット３９の周辺・通気孔５８や、出力軸側プーリ８の周辺・通気孔５５，５５・・を通過して、各羽根部９ｃの何れかを介し窓２ｄ，２ｄ・・へと出るように流れ続ける。
【００２７】
ここで、主に通気窓２ｅ，２ｅ・・からハウジング２内の上部を通じて下部へと流れるエアは、モータ３０を始めとするサンダ１の内部機構を冷却し、それに塵が付着していれば吹き飛ばす。このようなエアは、ハウジング２内の中央や前側中央に位置する出力軸側プーリ８やモータ側プーリ３４に向かうが、出力軸側プーリ８には通気孔５５，５５・・が設けられ、ブラケット３９には通気孔５８，５８・・が設けられているため、通気孔５５，５８・・を通過することができ、円滑に移動することが可能である。
特に、サンダ１ではモータ３０の回転を減速するため、モータ側プーリ３４の径より出力軸側プーリ８の径を大きくする必要があるし、又出力軸側プーリ８を出力軸４に合わせてサンダ１の中央に配置する必要があるところ、通気孔５５，５５・・がないとハウジング２内を上下に流れるエアにとって出力軸側プーリ８が大いに妨げになるが、通気孔５５，５５・・を設ければかように流れを妨げることはなくなり、通気孔５５，５５・・を設置した際の効果は大きい。
なお、塵を含むエアは、集塵管９ａにより、接続部２ｂを通じて排出される。
【００２８】
又、図６に示すように、主に各吸気口７０，７２から入るエアの流れは、次の通りとなる。即ち、ファン９の遠心力によってエアを窓２ｄから排出すると、モータ３０内が負圧になり、モータ吸気口３８からエアを吸気することとなって、モータ３０内において下方にエアが流れる。そして、ハウジング２内のモータ３０外側のエアは、モータ吸気口３８によりエアが吸われることで生じた負圧により、各吸気口７０，７２において外気が吸い込まれる。
更に、サブファン３７は、遠心力によって、モータ吸気口３８の外へエアを排出させようとするが、当該遠心力が（ファン９より容量が少ないため比較的に）弱いため、結果的に、モータ吸気口３８の外側に弱い乱流を発生させるに留まる。
【００２９】
そして、実際には、これらのエアの流れが組み合わさり、一部混じり合う。上方向の流れを生じるサブファン３７の容量より、下方向の流れを生じるファン９の容量の方が大きいため、上方向の流れは下方向の流れに打ち消されて、主なエアの流れは、ハウジング２上部から下部へのものとなり、ファン９のみ設けた場合より適度に減速されたものとなる。又、互いに逆向きの流れがぶつかることで、局所的に乱流が生じ、特にモータ吸気口３８の付近に乱流を生じさせることが可能となる。かような乱流は、サンダの研削によって生じた塵がモータ吸気口３８に入ることを妨げる。
又、吸気口７０，７２・・は、左右両側に設けられるので、ユーザの把持により一方が指等で塞がれたとしても、他方は塞がれずに開くこととなり、少なくとも何れか一方からのエアの流入が確保されることとなる。
【００３０】
以上のサンダ１では、パッド１０及びファン９を駆動するモータ３０が内蔵されたハウジング２の上部２ａを把持可能とすると共に（第１把持部）、ハウジング２の両側に括れ部４４を設けてその上半部を把持可能とし（第２把持部）、第２把持部の下方に吸気口７０，７０を設けたため、モータハウジング３５の外部に沿うエアの流れを発生させることができ、動作により発熱するモータ３０につき、吸気口７０や他の吸気口等を大きく設けなくとも、あるいは多く設けなくとも、充分に冷却することができ、塵の進入を可及的に少なく抑制した状態で効率的に冷却することが可能となる。
又、サンダ１では、吸気口７０，７０を左右両側に配置したので、しっかり把持した場合でも何れか一方の吸気口７０を開けておくことができ、効率の良好な冷却を継続することが可能となる。
【００３１】
更に、モータ吸気口３８，３８・・が吸気口７０，７０より上方にあるため、第２把持部下方の吸気口７０から入ったエアは、モータ３０の外部を下方から上方へ伝ってモータ３０上部から内部へ導入されることとなり、モータ３０がより一層効率良く冷却される。
又更に、吸気口７０，７０に加えて、ハウジング２に、モータ吸気口３８と同じ高さで第２の吸気口７２，７２・・が設けられるため、吸気口７２，７２・・から導入したエアをすぐさまモータ３０内に導入させることができ、フレッシュなエアによってモータ３０を効率的に冷やすことができる。又、エアの流れを（局所的に）複数化することで、エアの流れをストレートではないようにすることができ、エアが充分にハウジング２内の各所に行き渡るようにして、冷却を更に効率的に行うことができる。
加えて、モータ３０に、ファン９と逆方向のエアの流れを起こすサブファン３７を設けたため、ファン９によるエアの流れを適度な強さに調整しエアを充分に行き渡らせて冷却効率を一層向上することができるし、モータ吸気口３８付近に乱流を発生させて、モータ３０に塵が入り込む事態を防止することができる。
【００３２】
なお、本発明は上記形態に限定されず、次にそれぞれ示す変更例を有するものである。通気孔につき、出力軸側プーリやブラケットの何れか一方のみに設けたり、これらに代えて、あるいはこれらと共に、モータ側プーリ等の他の内部機構の少なくとも一つの部材に設ける。かように内部部材に通気孔を設けるとその部分においても通風性を良好にすることができ、ファンによる冷却等の作用を良好なものとすることができる。
【００３３】
又、通気孔や各種の窓、各種の吸気口等につき、単数としたり、増減したり、形状（円形等）や大きさ、配置（左右の一方のみに設けたり非対称位置に設けたりする等）を変えたり、複数のうちの一部の形状や大きさを他と変えたり、複数の（形状や大きさの異なる）孔を組合わせて一つの吸気口等とみなしたり、一部を省略したりする。ファンにつき、筋部や肉厚部の形状や数を変更したり、羽根部の一部に肉厚部（バランス部）の機能を持たせたり、通気機能のみ持たせてウエイトを考慮しないようにしたり、パッドのボールベアリングの内筒内にファンの中央下部を入れないようにして出力軸を直接固定したりする。サブファンについてもファンと同様に変更可能であるし、遠心ファン以外の形式のファンを採用することができる。
【００３４】
バッテリの装着態様につき、バッテリ装着部に案内されるスライド取付方式に代えて、直接係止部に係止させるダイレクト取付方式を採用したり、蓋付きあるいは蓋なしの箱形の収容部を設けてバッテリを収容により装着する方式を採用したりする。バッテリの係止部や集塵管等を省略したり、各種軸受やネジ、ボタンの数を増減したりする。ボタンに替えてレバースイッチを採用したり、ベルトとプーリを（通気孔付きの）ギアに替えたり、ネジをピンとしたり、バッテリを装着したサンダにおいて充電池を充電可能としたり、使い切りのバッテリを採用したり、ハウジングの突出部ないし括れ部の数を増減したりする等、各種部材の機能や配置、種類や数を適宜変更する。又、本発明を、パッドがオービタル回転するオービタルサンダ以外の他のサンダに適用する。
【符号の説明】
【００３５】
１・・サンダ、２・・ハウジング、２ａ・・（ハウジングの）上部（第１把持部）、４・・出力軸、８・・出力軸側プーリ（減速部材）、９・・ファン、１０・・パッド、３０・・モータ、３２・・（モータの）回転軸、３５・・モータハウジング、３７・・サブファン、３８・・モータ吸気口、４４・・（ハウジングの）括れ部（第２把持部）、７０・・（第１の）吸気口、７２・・（第２の）吸気口。
【図１】
0005854896.tif 000002
【図２】
0005854896.tif 000003
【図３】
0005854896.tif 000004
【図４】
0005854896.tif 000005
【図５】
0005854896.tif 000006
【図６】
0005854896.tif 000007